(57)【特許請求の範囲】
【請求項１】
チャンネルの変更時にディスプレイ装置に既に製作されたザッピング広告が展示されると共に、ユーザから入力されたチャンネル変更信号に対応して変更されたチャンネルに対する放送コンテンツを展示するが、チャンネルの変更が行われるザッピング時間（ｚａｐｐｉｎｇ  ｔｉｍｅ）の間に前記ザッピング広告を展示するデジタル受信機を含むザッピング広告システムにおいて、
前記デジタル受信機は、
コンテンツの展示方式が、レイヤの組み合わせにより行われる方式であるマルチレイヤ方式であるか否かを判断する判断部と、
前記判断部によりコンテンツの展示方式が前記マルチレイヤ方式であると判断されるときに駆動され、チャンネル信号の変更時に前記変更されたチャンネルに対する放送コンテンツ情報を受信してそれぞれ異なる機能を有する複数のレイヤのうち放送コンテンツが表示されるように既に設定されたレイヤであるビデオレイヤ（ＶＬ）に受信された放送コンテンツを表示する放送コンテンツ表示モジュールと、視覚的に上部から下部に進むにつれてプライオリティが低くなるとき、前記ビデオレイヤ（ＶＬ）よりも低いプライオリティのレイヤである遊休レイヤにザッピング広告を表示するザッピング広告表示モジュールと、前記放送コンテンツ表示モジュール及び前記ザッピング広告表示モジュールによるレイヤを組み合わせるレイヤ組み合わせモジュールと、を含むマルチレイヤ制御部と、
前記判断部によりコンテンツの展示方式が前記マルチレイヤ方式ではないと判断されるときに駆動され、ディスプレイの出力メモリから出力される放送コンテンツの映像フレームをオーバレイバッファに保存すると共に、現在展示中の放送コンテンツに対応するザッピング広告を入力させてこれを前記オーバレイバッファに保存し、前記オーバレイバッファに保存されたザッピング広告が前記オーバレイバッファに保存された放送コンテンツの前段に配置されるようにオーバレイバッファを再構成するマルチプレキシング処理部と、を含み、
前記ザッピング広告表示モジュールは、前記デジタル受信機のビデオフォーマットの構成有無を確認して、前記ビデオレイヤ（ＶＬ）よりもプライオリティの低い遊休レイヤが存在するか否かを判断する判断モジュールと、前記判断モジュールにより前記ビデオレイヤ（ＶＬ）よりもプライオリティの低いレイヤが存在すると判断されるときに駆動され、ザッピング広告を前記遊休レイヤに表示する第１のザッピング広告表示モジュールと、前記判断モジュールにより前記遊休レイヤが存在しないと判断されるときに駆動され、新規なレイヤを生成又は要請するレイヤ要請モジュールと、前記レイヤ要請モジュールにより生成された新規なレイヤに前記ビデオレイヤ（ＶＬ）よりも低いプライオリティを与えるプライオリティ設定モジュールと、前記プライオリティ設定モジュールにより前記ビデオレイヤ（ＶＬ）よりも低いプライオリティが与えられた新規なレイヤにザッピング広告を表示する第２のザッピング広告表示モジュールと、をさらに含むザッピング広告システム。
【請求項２】
前記デジタル受信機の前記マルチレイヤ制御部の前記ザッピング広告表示モジュールは、アプリケーション又は字幕情報を前記ビデオレイヤ（ＶＬ）よりもプライオリティの高いレイヤに表示する請求項１に記載のザッピング広告システム。
【請求項３】
前記レイヤ組み合わせモジュールにより組み合わせられたレイヤの画面は、前記チャンネル変更信号が入力された時点から変更されるべきチャンネルの放送コンテンツが前記組み合わせられたレイヤの画面に提供される時点までの経過時間に前記遊休レイヤに表示されたザッピング広告を露出させる請求項１に記載のザッピング広告システム。
【請求項４】
前記マルチレイヤ制御部は、
前記チャンネル変更信号が入力された後、既に設定された時間の間にチャンネル変更信号が再び入力されないときに前記組み合わせられたレイヤの画面のビデオレイヤ（ＶＬ）に表示される放送コンテンツに対応するザッピング広告が遊休レイヤに表示されるようにザッピング広告を変換する請求項３に記載のザッピング広告システム。
【請求項５】
前記ザッピング広告システムは、ザッピング広告サーバを更に備え、前記ザッピング広告サーバは、
前記デジタル受信機とデータ通信を行う通信インタフェース部と、
ザッピング広告を生成又は登録されて保存するコンテンツ登録サーバと、
前記コンテンツ登録サーバにより生成又は登録されたザッピング広告に対するコンテンツの種類、チャンネル情報、時間情報、露出位置情報、露出方法情報のうちの少なくともいずれか一種を含むタファイル情報を生成するメタファイル生成サーバと、
を備え、
前記通信インタフェース部は、前記コンテンツ登録サーバにより新たに生成又は登録されたザッピング広告及び前記生成又は登録されたザッピング広告に関するメタファイル情報をマッチングさせて周期的に前記デジタル受信機に転送する請求項１に記載のザッピング広告システム。
【請求項６】
前記デジタル受信機は、
メモリと、
周期的に前記ザッピング広告サーバから転送されたザッピング広告及びメタファイル情報を前記メモリに保存するパーシングモジュールと、
ユーザからチャンネル変更信号が入力されるときに前記メモリに保存されたメタファイル情報を解析するメタファイル解析モジュールと、
前記メタファイル解析モジュールを用いて変更されるべきチャンネルに対応するザッピング広告が前記メモリに保存されたか否かを探索する探索モジュールと、
前記探索モジュールにより前記メモリに変更されるべきチャンネルに対するザッピング広告が探索されないとき、前記ザッピング広告サーバにザッピング広告を要請する広告要請モジュールと、
を更に備える請求項５に記載のザッピング広告システム。
【発明の詳細な説明】
【技術分野】
【０００１】
本発明は、多重化特性を用いたザッピング広告システムに係り、更に詳しくは、デジタル受信機の様々な環境に連動可能なように構成されると共に、様々な環境下でザッピング時間の間にザッピング広告を効率よく提供するための多重化特性を用いたザッピング広告システムに関する。
【背景技術】
【０００２】
通信インフラが拡張され、デジタルデバイス技術が発達することに伴い、映像及び音声情報を圧縮して有無線ネットワークを介して送出されるデジタル放送の大衆化が盛んに行われている。
【０００３】
通常、デジタル放送は、通信網と、デジタル放送を製作した後に、外部からの要請に応じてデジタル放送を送出する放送センターサーバと、デジタル放送をディスプレイするディスプレイ装置と、ディスプレイ装置からのチャンネル変更の要請に応じてこれを放送センターサーバに転送すると共に、放送センターサーバから転送されたデジタル放送をディスプレイ装置において再生可能なように映像及び音声信号を変換するデジタル受信装置と、を備える。
【０００４】
このとき、放送センターサーバから送出されるデジタル放送の映像及び音声情報は、それぞれ異なるフォーマット及び周波数通りに圧縮されて転送され、これにより、デジタル受信装置は、受信されたデジタル放送の映像及び音声情報をそれぞれ異なる方式で復号化（ｄｅｃｏｄｉｎｇ）及び同期化（ｓｙｎｃｈｒｏｎｉｚａｔｉｏｎ）した後、これらをタイムラインに沿って組み合わせるマルチプレキシング（ｍｕｌｔｉｐｌｅｘｉｎｇ）過程を必須的に行わなければならない。
【０００５】
このようなマルチプレキシングは、動画像のストリーム（ｓｔｒｅａｍ）の復元に際して、圧縮形態の特性上、キーフレーム（ｋｅｙ  ｆｒａｍｅ）を基準としてモーションを補償する方式で連続的なフレームを生成することができるが、任意的にストリームを転送されたりアクセスしたりするキーフレームが存在しない場合、キーフレームが存在するまで待たなければならないバッファリング（ｂｕｆｆｅｒｉｎｇ）現象が頻繁に発生し、このようなバッファリングは、デジタル受信装置がタイムスタンプ（ｔｉｍｅ  ｓｔａｍｐ）に合うように映像及び音声をマルチプレキシングするとき、時間的な遅延（ｔｉｍｅ  ｄｅｌａｙ）を引き起こす。
【０００６】
すなわち、テレビなどのディスプレイ装置には、チャンネルの変更に際して所定の時間の間に画面にいかなるコンテンツも展示されないという現象が発生する。以下、チャンネルの変更に際してテレビの画面にいかなるコンテンツも展示されない所定の時間をザッピング時間（ｚａｐｐｉｎｇ  ｔｉｍｅ）と称する。
【０００７】
これにより、本出願人は、韓国登録特許第１０−１２７３８９１号公報（発明の名称：ザッピングデータ提供システム、提供方法及びその方法のための記録媒体）、韓国登録特許第１０−１４１２１９８号公報（発明の名称：ザッピング広告サービスのための方法及びシステム）及び韓国登録特許第１０−１４６８６６２号公報（発明の名称：順位による広告提供システム）を通じてザッピング時間の間に様々なフォーマットのザッピング広告を効率よく提供して電波の無駄使いを極力抑えるだけではなく、広告効率を極大化させるためのザッピング広告システムに取り組んで特許登録を受けた。
【０００８】
図１は、本出願人により出願された韓国公開特許第１０−２０１５−００１７３３７号公報（発明の名称：テレビ画面の制御装置及びこれを備えるシステム）に開示されているテレビ画面の制御装置を示すブロック図である。
【０００９】
図１のテレビ画面の制御装置（以下、従来の技術と称する。）１００は、放送コンテンツサーバから転送された放送コンテンツ情報を処理可能な形式に変換するインタフェース部１１０と、チャンネル切り換え入力信号に応答して変更されたチャンネルに関する放送コンテンツ情報を第１のプレーンに表示する放送コンテンツデータ処理部１２０と、第１のプレーンよりも視覚的に下部に配設される第２のプレーンにザッピング広告を表示するチャンネル切り換え広告処理部１３０と、放送コンテンツデータ処理部１２０及びチャンネル切り換え広告処理部１３０から入力された第１のプレーン映像及び第２のプレーン映像を混合して混合された出力画面に提供する画面混合部１４０と、を備える。
【００１０】
このような構成を有する従来の技術１００は、デジタル方式のテレビの最下部プレーンにより定義されるバックグラウンドプレーンに広告画面を提供することにより、バックグラウンドプレーンの上層に配設されるプレーンから提供される放送画面が提供されないザッピング時間の間にザッピング広告を効率よく提供することができるというメリットを有する。
【００１１】
通常、デジタル受信装置において、従来の技術１００でのように、それぞれが異なる機能を行うように設定された複数のプレーンに基づいてコンテンツを展示する方式（以下、プレーンに基づく展示方式と称する。）を行うためには、セットトップボックスなどのテレビ画面の制御装置にミドルウェア（ｍｉｄｄｌｅ  ｗａｒｅ）が必須的に設けられなければならないが、アンドロイド（ａｎｄｒｏｉｄ（登録商標））などのオーペレーティングシステム（ＯＳ：ｏｐｅｒａｔｉｎｇ  ｓｙｓｔｅｍ）及びプラットフォーム又はフォームウェア（ｆｉｒｍｗａｒｅ）なしに基本的なオーペレーティングシステムの機能のみを有する端末では、上述したプレーンに基づくコンテンツの展示方式によりコンテンツの展示が行われないため、この場合、たとえ従来の技術１００が適用されても、本然の機能を行うことができないという構造的な限界を有する。
【００１２】
すなわち、従来の技術１００は、プレーンに基づくコンテンツの展示方式が適用される環境下でしか連動できず、他の環境下では、ザッピング広告を提供することができないという欠点を有する。
【００１３】
また、従来の技術１００は、第１のプレーンに放送コンテンツが、第２のプレーンであるバックグラウンドプレーンにザッピング広告が展示されるように構成されたが、複数のプレーンに基づいてコンテンツを展示するプレーンに基づく展示方式は、オーペレーティングシステム及びプラットフォームの種類に応じてプレーンのそれぞれの機能が異なるように定義されるため、従来の技術１００は、放送コンテンツが表示されるプレーンの下部にバックグラウンドプレーンが形成される構造にしか適用できないという問題を有する。例えば、「Ａ」プラットフォームのコンテンツの展示方式が最下部のプレーンに放送コンテンツを表示するように構成される場合、従来の技術１００は、バックグラウンドプレーンを検出できないためザッピング広告を提供することができなくなる。
【００１４】
すなわち、１）たとえコンテンツの展示方式がプレーンに基づく展示方式だけではなく、他の方式により運営されても、様々な環境下でザッピング広告を提供することができ、２）たとえコンテンツの展示方式がプレーンに基づく展示方式であるとしても、様々なオーペレーティングシステム及びプラットフォームの種類を問わずにザッピング広告を効率よく提供することのできるザッピング広告システムへの取り組みが至急望まれているのが現状である。
【先行技術文献】
【特許文献】
【００１５】
【特許文献１】韓国登録特許第１０−１２７３８９１号公報
【特許文献２】韓国登録特許第１０−１４１２１９８号公報
【特許文献３】韓国登録特許第１０−１４６８６６２号公報
【特許文献４】韓国公開特許第１０−２０１５−００１７３３７号公報
【発明の開示】
【発明が解決しようとする課題】
【００１６】
本発明は、このような問題を解消するために案出されたものであり、本発明の解決課題は、マルチレイヤに基づくコンテンツの展示方式だけではなく、マルチレイヤに基づかないコンテンツの展示方式にも連動可能なように構成されることにより、コンテンツの展示方式の種類を問わずに様々な環境下でザッピング広告を正確に提供することのできる多重化特性を用いたザッピング広告システムを提供することである。
【００１７】
また、本発明の他の解決課題は、マルチレイヤに基づくコンテンツの展示方式が適用される環境下で、放送コンテンツが表示されるレイヤよりもプライオリティ（優先順位）の低いレイヤが存在しない場合、新規なレイヤを生成して生成された新規なレイヤにザッピング広告が表示されるように構成されることにより、オーペレーティングシステム及びプラットフォームの種類を問わずにザッピング広告を安定的に提供することのできる多重化特性を用いたザッピング広告システムを提供することである。
【課題を解決するための手段】
【００１８】
前記課題を解決するための本発明の解決手段は、チャンネルの変更時にディスプレイ装置に既に製作されたザッピング広告が展示されるようにするデジタル受信機を備えるザッピング広告システムにおいて、前記デジタル受信機は、ユーザから入力されたチャンネル変更信号に対応して変更されたチャンネルに対する放送コンテンツを展示するが、チャンネルの変更が行われるザッピング時間の間に前記ザッピング広告を展示するものである。
【００１９】
また、本発明において、前記デジタル受信機は、マルチレイヤ制御部を更に備え、前記マルチレイヤ制御部は、チャンネル信号の変更時に前記変更されたチャンネルに対する放送コンテンツ情報を受信してそれぞれ異なる機能を有する複数のレイヤのうち放送コンテンツが表示されるように既に設定されたレイヤであるビデオレイヤＶＬ）に受信された放送コンテンツを表示する放送コンテンツ表示モジュールと、視覚的に上部から下部に進むにつれてプライオリティが低くなるとき、前記ビデオレイヤＶＬよりも低いプライオリティのレイヤである遊休レイヤにザッピング広告を表示するザッピング広告表示モジュールと、前記放送コンテンツ表示モジュール及び前記ザッピング広告表示モジュールによるレイヤを組み合わせるレイヤ組み合わせモジュールと、を備えることが好ましい。
【００２０】
更に、本発明において、前記ザッピング広告表示モジュールは、前記ビデオレイヤＶＬよりもプライオリティの低い遊休レイヤが存在するか否かを判断する判断モジュールと、前記判断モジュールにより前記ビデオレイヤＶＬよりもプライオリティの低いレイヤが存在すると判断されるときに駆動され、ザッピング広告を前記遊休レイヤに表示する第１のザッピング広告表示モジュールと、前記判断モジュールにより前記遊休レイヤが存在しないと判断されるときに駆動され、新規なレイヤを生成又は要請するレイヤ要請モジュールと、前記レイヤ要請モジュールにより生成された新規なレイヤに前記ビデオレイヤＶＬよりも低いプライオリティを与えるプライオリティ設定モジュールと、前記プライオリティ設定モジュールにより前記ビデオレイヤＶＬよりも低いプライオリティが与えられた新規なレイヤにザッピング広告を表示する第２のザッピング広告表示モジュールと、を備えることが好ましい。
【００２１】
更にまた、本発明において、前記デジタル受信機の前記マルチレイヤ制御部の前記ザッピング広告表示モジュールは、アプリケーション又は字幕情報を前記ビデオレイヤＶＬよりもプライオリティの高いレイヤに表示することが好ましい。
【００２２】
更にまた、本発明において、前記レイヤ組み合わせモジュールにより組み合わせられたレイヤの画面は、前記チャンネル変更信号が入力された時点から変更されるべきチャンネルの放送コンテンツが前記組み合わせられたレイヤの画面に提供される時点までの経過時間に前記遊休レイヤに表示されたザッピング広告を露出させることが好ましい。
【００２３】
更にまた、本発明において、前記マルチレイヤ制御部は、前記チャンネル変更信号が入力された後、既に設定された時間の間にチャンネル変更信号が再び入力されないときに前記組み合わせられたレイヤの画面のビデオレイヤＶＬに表示される放送コンテンツに対応するザッピング広告が遊休レイヤに表示されるようにザッピング広告を変換することが好ましい。
【００２４】
更にまた、本発明において、前記デジタル受信機は、コンテンツの展示方式が、レイヤの組み合わせにより行われる方式であるマルチレイヤ方式であるか否かを判断する判断部を更に備え、前記マルチレイヤ制御部は、前記判断部によりコンテンツの展示方式が前記マルチレイヤ方式であると判断されるときに駆動されることが好ましい。
【００２５】
更にまた、本発明において、前記デジタル受信機は、前記判断部によりコンテンツの展示方式が前記マルチレイヤ方式ではないと判断されるときに駆動されるマルチプレキシング処理部を更に備え、前記マルチプレキシング処理部は、ディスプレイの出力メモリから出力される放送コンテンツの映像フレームをオーバレイバッファに保存すると共に、現在展示中の放送コンテンツに対応するザッピング広告を入力されてこれを前記オーバレイバッファに保存し、前記オーバレイバッファに保存されたザッピング広告が前記オーバレイバッファに保存された放送コンテンツの前段に配置されるようにオーバレイバッファを再構成することが好ましい。
【００２６】
更にまた、本発明において、前記ザッピング広告システムは、ザッピング広告サーバを更に備え、前記ザッピング広告サーバは、前記デジタル受信機とデータ通信を行う通信インタフェース部と、ザッピング広告を生成又は登録されて保存するコンテンツ登録サーバと、前記コンテンツ登録サーバにより生成又は登録されたザッピング広告に対するコンテンツの種類、チャンネル情報、時間情報、露出位置情報、露出方法情報のうちの少なくともいずれか一種を含むタファイル情報を生成するメタファイル生成サーバと、を備え、前記通信インタフェース部は、前記コンテンツ登録サーバにより新たに生成又は登録されたザッピング広告及び前記生成又は登録されたザッピング広告に関するメタファイル情報をマッチングさせて周期的に前記デジタル受信機に転送することが好ましい。
【００２７】
更にまた、本発明において、前記デジタル受信機は、メモリと、周期的に前記ザッピング広告サーバから転送されたザッピング広告及びメタファイル情報を前記メモリに保存するパーシングモジュールと、ユーザからチャンネル変更信号が入力されるときに前記メモリに保存されたメタファイル情報を解析するメタファイル解析モジュールと、前記メタファイル解析モジュールを用いて変更されるべきチャンネルに対応するザッピング広告が前記メモリに保存されたか否かを探索する探索モジュールと、前記探索モジュールにより前記メモリに変更されるべきチャンネルに対するザッピング広告が探索されないとき、前記ザッピング広告サーバにザッピング広告を要請する広告要請モジュールと、を更に備えることが好ましい。
【発明の効果】
【００２８】
前記課題及び解決手段を有する本発明によれば、マルチレイヤに基づくコンテンツの展示方式だけではなく、マルチレイヤに基づかないコンテンツの展示方式にも連動可能なように構成されることにより、コンテンツの展示方式の種類を問わずに様々な環境下でザッピング広告を正確に提供することができる。
【００２９】
また、本発明によれば、マルチレイヤに基づくコンテンツの展示方式が適用される環境下で、放送コンテンツが表示されるレイヤよりもプライオリティの低いレイヤが存在しない場合、新規なレイヤを生成して生成された新規なレイヤにザッピング広告が表示されるように構成されることにより、オーペレーティングシステム及びプラットフォームの種類を問わずにザッピング広告を安定的に提供することができる。
【００３０】
更に、本発明によれば、マルチレイヤに基づくコンテンツの提供方式が適用されない環境下で駆動されるマルチプレキシング処理部が放送コンテンツの復号化状態を問わずに運営されることから、ザッピング広告の露出時間を保証することができる。
【図面の簡単な説明】
【００３１】
【図１】本出願人により出願された韓国公開特許第１０−２０１５−００１７３３７号公報（発明の名称：テレビ画面の制御装置及びこれを備えるシステム）に開示されているテレビ画面の制御装置を示すブロック図である。
【図２】本発明の一実施形態によるザッピング広告システムを示す構成図である。
【図３】図２のザッピング広告サーバ及びデジタル受信機を説明するための構成例示図である。
【図４】図３のザッピング広告サーバを示すブロック図である。
【図５】図２のデジタル受信機を示すブロック図である。
【図６】図５のザッピング広告管理部を示すブロック図である。
【図７】本発明のマルチレイヤに基づくコンテンツの提供方式を説明するための例示図である。
【図８】図５のマルチレイヤ制御部を示すブロック図である。
【図９】図８のマルチレイヤ制御部の動作過程を説明するためのフローチャートである。
【図１０】（ａ）は、ビデオレイヤＶＬに放送コンテンツが、ビデオレイヤよりもプライオリティの低いレイヤにザッピング広告が提供される画面を説明するための例示図であり、（ｂ）は、チャンネル変更信号に基づいてビデオレイヤＶＬに放送コンテンツが受信されない状態を示す例示図であり、（ｃ）は、変更されたチャンネルの放送コンテンツがビデオレイヤＶＬに展示される状態を示す例示図であり、（ｄ）は、チャンネルの変更後に現在展示中のチャンネルに対応するザッピング広告の変換状態を示す例示図である。
【図１１】図５のマルチプレキシング処理部を説明するための構成図である。
【発明を実施するための形態】
【００３２】
以下、添付図面に基づき、本発明の一実施形態について説明する。
【００３３】
図２は、本発明の一実施形態であるザッピング広告システムを示す構成図である。
【００３４】
図２のザッピング広告システム１は、ザッピング時間の間にディスプレイ手段１０の画面にザッピング広告を効率よく提供するためのシステムである。このとき、ザッピング時間は、チャンネルの変更時に変更されたチャンネルに対応する放送コンテンツの復号化及び同期化によりディスプレイ手段１０の画面にいかなるコンテンツも展示されない時間と定義される。
【００３５】
また、ザッピング広告システム１は、ザッピング広告サーバ５と、放送コンテンツサーバ７−１，…，７−Ｎと、デジタル受信機３と、ディスプレイ手段１０と、通信網９と、を備える。
【００３６】
通信網９は、ザッピング広告サーバ５、放送コンテンツサーバ７−１，…，７−Ｎ及びデジタル受信機３間のデータ移動経路を提供し、詳しくは、ケーブル、近距離通信網（ＬＡＮ）、広域通信網（ＷＡＮ）、移動通信網、３Ｇ  ＬＴＥ網、４Ｇ網などのようにＩＰに基づくネットワーク網であることが好ましい。
【００３７】
放送コンテンツサーバ７−１，…，７−Ｎは、放送コンテンツを製作及び編集してこれを提供するサーバであり、詳しくは、放送コンテンツが提供可能な地上波放送局、地域ケーブル放送局、インターネットプロトコルテレビ（ＩＰＴＶ：Ｉｎｔｅｒｎｅｔ  Ｐｒｏｔｏｃｏｌ  Ｔｅｌｅｖｉｓｉｏｎ）放送局、衛星放送局、注文型ビデオ（ＶＯＤ：Ｖｉｄｅｏ  Ｏｎ  Ｄｅｍａｎｄ）サーバ、アプリケーションサーバなどに構成されてもよい。
【００３８】
また、放送コンテンツサーバ７−１，…，７−Ｎのそれぞれには、放送チャンネルが割り当てられ、既に製作された放送コンテンツを登録されて保存する。
【００３９】
更に、放送コンテンツサーバ７−１，…，７−Ｎは、デジタル受信機３からチャンネル変更の要請データを転送されると、既に設定された電子番組ガイド（ＥＰＧ：Ｅｌｅｃｔｒｏｎｉｃ  Ｐｒｏｇｒａｍ  Ｇｕｉｄｅ）の時間帯に応じて対応する放送コンテンツをデジタル受信機３に送出する。このとき、デジタル受信機３は、ユーザからチャンネル変更信号を入力されると、入力された変更されるべきチャンネルに対応する放送コンテンツサーバにチャンネル変更の要請データを転送し、当該放送コンテンツサーバから放送コンテンツを転送されると、復号化及びマルチプレキシング過程を通じて転送された放送コンテンツがディスプレイ手段１０に展示されるようにする。
【００４０】
ザッピング広告サーバ５は、デジタル受信機３と通信網９により接続、詳しくは、自分をホストに、且つ、デジタル受信機３をクライアントに設定してネットワークを形成する。
【００４１】
また、ザッピング広告サーバ５は、既に製作されたザッピング広告を登録されて保存すると共に、クライアントであるデジタル受信機３に転送する。すなわち、既に製作されたザッピング広告は、ザッピング広告サーバ５だけではなく、デジタル受信機３のそれぞれに自体的に保存されてチャンネルの変更に際して好適なザッピング広告を選び出すのにかかる時間が画期的に節減されるようにする。
【００４２】
このとき、ザッピング広告は、コンテンツ、企業、製品、サービスなどに対する広告を含み、キーワード、グラフィックイメージ、動画像、音響などの形式で構成され、詳しくは、変更されるべきチャンネル又は当該放送社、変更されるべきチャンネルの放送コンテンツ、特定の企業、特定の製品、特定のサービスなどに関連する形式で構成されてもよい。例えば、ザッピング広告コンテンツは、現在放映中であるか、又は放映予定の放送コンテンツに関する情報、代表チャンネル情報などを含み、特定の商品又はサービスプロバイダのロゴ、商品イメージ、アドレス、電話番号、ウェブサイト（ＵＲＬ）などを含み得る。
【００４３】
また、ザッピング広告サーバ５は、ザッピング広告の登録に際して当該ザッピング広告に関するメタファイル情報を生成し、生成されたメタファイル情報を当該ザッピング広告にマッチングさせる。すなわち、ザッピング広告は、広告コンテンツ及びメタファイル情報により構成される。このとき、メタファイル情報は、コンテンツの種類、チャンネル情報、時間情報、露出位置情報、露出方法情報などを含み、広告主又は管理者の要請に応じて入力される。
【００４４】
更に、ザッピング広告サーバ５は、ディスプレイ手段１０のザッピング広告の露出結果に基づいて広告費用を算出し、算出された広告費用を広告主の端末に請求してもよい。このとき、広告費用の算出方法はいずれか一つに制限されるものではなく、様々な方式が適用可能であるということはいうまでもない。
【００４５】
デジタル受信機３は、地上波、衛星又はケーブル放送の受信のためのセットトップボックス、セットトップボックス機能付きテレビ、インターネットに基づくＩＰＴＶをはじめとしてデジタルマルチメディア放送（ＤＭＢ：Ｄｉｇｉｔａｌ  Ｍｕｌｔｉｍｅｄｉａ  Ｂｒｏａｄｃａｓｔｉｎｇ）又はデジタルビデオブロードキャスティング−ハンドヘルド（ＤＶＢ−Ｈ：Ｄｉｇｉｔａｌ  Ｖｉｄｅｏ  Ｂｒｏａｄｃａｓｔｉｎｇ−Ｈａｎｄｈｅｌｄ）受信モジュールが搭載された携帯電話、スマートフォン、ノート型パソコン、タブレットＰＣ、パーソナルメディアプレーヤ（ＰＭＰ：Ｐｅｒｓｏｎａｌ  Ｍｕｌｔｉｍｅｄｉａ  Ｐｌａｙｅｒ）、ナビゲーションなどのデジタル機器などにより構成されてもよい。
【００４６】
また、デジタル受信機３は、通信網９との接続に対応可能な通信インタフェース部を備えてザッピング広告サーバ５及び放送コンテンツサーバ７−１，…，７−Ｎとデータ通信を行い、ディスプレイ手段１０に接続されてディスプレイ手段１０に展示されるコンテンツを制御及び管理するための端末である。このとき、本発明では、説明の便宜のために、デジタル受信機３がディスプレイ手段１０とは別設される場合を例にとって説明したが、デジタル受信機３は、ディスプレイ手段１０に組み込まれてもよいことはいうまでもない。
【００４７】
更に、デジタル受信機３は、接続されたディスプレイ手段１０を介してチャンネル変更入力信号Ｃ＿ＩＮが入力されると、入力されたチャンネル変更入力信号に対応する放送コンテンツサーバに放送要請データを転送し、当該放送コンテンツサーバから放送コンテンツを転送されると、これを変換してディスプレイ手段１０のモニタに展示する。このとき、ディスプレイ手段１０は、リモコン又は操作パネルを介してユーザから変更しようとするチャンネルを示すチャンネル変更入力信号Ｃ＿ＩＮを入力されると、入力されたチャンネル変更入力信号をデジタル受信機３に入力することにより、ユーザの要請に対応する放送コンテンツをディスプレイすることができる。
【００４８】
更にまた、デジタル受信機３は、ザッピング広告サーバ５から既に製作されたザッピング広告データを転送されてこれを保存し、接続されたディスプレイ手段１０を介してチャンネル変更入力信号Ｃ＿ＩＮが入力されると、既に保存されたザッピング広告のそれぞれのメタファイル情報を探索して、入力されたチャンネル変更入力信号のチャンネル情報に対応するザッピング広告が存在するか否かを判断する。このとき、デジタル受信機３は、もし入力されたチャンネル変更入力信号に対応するザッピング広告が保存されていないと判断される場合、ザッピング広告サーバ５に変更されるべきチャンネル情報を含むチャンネル変更要請データを転送し、ザッピング広告サーバ５から対応するザッピング広告データを転送されると、これを保存する。
【００４９】
すなわち、デジタル受信機３は、ユーザの要請に応じてチャンネル変更信号が入力されると、当該放送コンテンツサーバ７に放送要請データを転送し、放送コンテンツサーバ７から転送された放送コンテンツを復号化及びマルチプレキシングする間にザッピング広告をディスプレイ手段１０にディスプレイすることが可能になる。
【００５０】
図３は、図２のザッピング広告サーバ及びデジタル受信機を説明するための構成例示図であり、図４は、図３のザッピング広告サーバを示すブロック図である。
【００５１】
図３及び図４に示すように、ザッピング広告サーバ５は、自分をホストに、且つ、デジタル受信機３をクライアントに設定してネットワークを形成する。
【００５２】
また、ザッピング広告サーバ５は、通信インタフェース部５１と、コンテンツ登録サーバ５３と、メタファイル生成サーバ５５と、ログ分析サーバ５７と、ターゲッティング制御サーバ５９と、を備える。すなわち、本発明のザッピング広告サーバ５は、既に設定された演算処理が各サーバにおいて別々に行われるように構成されることにより、各種の演算処理を効率よく行うことが可能になる。
【００５３】
通信インタフェース部５１は、通信網９との接続を支援してデジタル受信機３とのデータ通信を行う。
【００５４】
また、通信インタフェース部５１は、デジタル受信機３のそれぞれに登録されたザッピング広告コンテンツを周期的に転送する。
【００５５】
更に、通信インタフェース部５１は、デジタル受信機３からチャンネル変更要請データを転送されると、転送されたチャンネル変更要請データの放送チャンネルに対応するザッピング広告コンテンツを取り出してこれをデジタル受信機３に転送する。このとき、チャンネル変更要請データは、デジタル受信機３に当該ザッピング広告が存在しないときにデジタル受信機３からザッピング広告サーバ５に転送されるデータであり、デジタル受信機３は、チャンネル変更の要請によるザッピング広告コンテンツをザッピング広告サーバ５から転送されるか、又は、ザッピング広告サーバ５から周期的にザッピング広告コンテンツを転送されると、転送されたザッピング広告コンテンツを保存する。
【００５６】
コンテンツ登録サーバ５３は、ザッピング時間の間にディスプレイ手段１０に展示される既に製作されたザッピング広告コンテンツをユーザから登録される。このとき、ザッピング広告コンテンツは、チャンネル、企業、製品、サービスなどに対する広告と定義され、詳しくは、チャンネル放送社、チャンネルの放送コンテンツ、特定の企業、特定の製品及び特定のチャンネル又は特定のサービスなどに関連するキーワード、グラフィックイメージ、動画像、音響などの形式で構成されてもよい。
【００５７】
また、コンテンツ登録サーバ５３は、後述するメタファイル生成サーバ５５によりメタファイルが生成されると、生成されたメタファイルをザッピング広告コンテンツに含める。
【００５８】
メタファイル生成サーバ５５は、コンテンツ登録サーバ５３により登録されたザッピング広告コンテンツに対するメタファイルを生成する。このとき、メタファイル情報は、ザッピング広告コンテンツの種類、チャンネル情報、時間情報、露出位置情報、位置地域情報、露出方法情報などを含み、広告主又は管理者の要請に応じて入力される。
【００５９】
更に、メタファイル生成サーバ５５により生成されたメタファイル情報は、対応するザッピング広告コンテンツに含まれる。
【００６０】
ログ分析サーバ５７は、既に設定された分析アルゴリズムを用いてデジタル受信機３から転送されたログデータを分析し、分析された結果に基づいて地域別、時間帯別、チャンネル別、類推された年齢別などによるザッピング広告のプライオリティデータを生成する。このとき、プライオリティデータとは、入力されたカテゴリに応じてログデータのプライオリティに応じて並べられたデータのことをいう。
【００６１】
ターゲッティング制御サーバ５９は、ログ分析サーバ５７により生成されたプライオリティデータに応じてデジタル受信機３のそれぞれに適したザッピング広告を検出する。
【００６２】
図５は、図２のデジタル受信機を示すブロック図である。
【００６３】
図５のデジタル受信機３は、サーバ連動部３１と、放送コンテンツ管理部３２と、ザッピング広告管理部３３と、判断部３４と、マルチレイヤ制御部３５と、マルチプレキシング処理部３６と、ログデータ収集部３７と、を備える。
【００６４】
サーバ連動部３１は、通信網９との接続を支援してザッピング広告サーバ５及び放送コンテンツサーバ７−１，…，７−Ｎとのデータ通信を行う。
【００６５】
また、サーバ連動部３１は、外部からデータを転送されたか否かをクローリング（ｃｒａｗｌｉｎｇ）し、外部から転送されたデータが探索されると、これを対応する構成部に入力、詳しくは、放送コンテンツサーバ７から放送コンテンツを転送されると、転送された放送コンテンツを放送コンテンツ管理部３２に、ザッピング広告サーバ５からザッピング広告コンテンツを転送されると、転送されたザッピング広告コンテンツをザッピング広告管理部３３に入力する。このとき、ザッピング広告サーバ５から転送されたザッピング広告コンテンツは、ザッピング広告管理部３３により保存されると共に、チャンネルの変更に際してザッピング広告管理部３３の制御に応じて適したザッピング広告がディスプレイ手段１０に提供される。
【００６６】
更に、サーバ連動部３１は、ディスプレイ手段１０を介してユーザからチャンネル変更信号Ｃ＿ＩＮが入力されると、放送コンテンツ管理部３２の制御に応じて当該放送コンテンツサーバ７に放送要請データを転送する。
【００６７】
更にまた、サーバ連動部３１は、ユーザからチャンネル変更信号Ｃ＿ＩＮが入力されるとき、ザッピング広告管理部３３により変更されるべきチャンネルに対応するザッピング広告が存在しない場合、ザッピング広告管理部３３の制御に応じてザッピング広告サーバ５に変更されるべきチャンネルに対応するザッピング広告を要請する。
【００６８】
更にまた、サーバ連動部３１は、ログデータ収集部３７により収集されたログデータを周期的にザッピング広告サーバ５のログ分析サーバ５７に転送する。
【００６９】
放送コンテンツ管理部３２は、サーバ連動部３１を介して放送コンテンツサーバ７から転送された放送コンテンツの映像及び音声情報を復号化及び同期化処理する。
【００７０】
また、放送コンテンツ管理部３２により変換された映像及び音声情報は、判断部３４の演算によりマルチレイヤ制御部３５及びマルチプレキシング処理部３６のうちのいずれか一方に入力される。
【００７１】
更に、放送コンテンツ管理部３２は、ディスプレイ手段１０からチャンネル変更信号Ｃ−ＩＮが入力されると、入力されたチャンネル変更信号のチャンネルに対応する放送コンテンツサーバ７を検出した後、サーバ連動部３１を介して検出された放送コンテンツサーバ７に放送要請データを転送する。このとき、放送コンテンツ管理部３２は、放送コンテンツサーバ７から放送コンテンツを転送されると、上述したように、転送された放送コンテンツの映像及び音声情報に対して復号化及び同期化処理を施した後、マルチレイヤ制御部３５又はマルチプレキシング処理部３６に入力する。
【００７２】
図６は、図５のザッピング広告管理部を示すブロック図である。
【００７３】
ザッピング広告管理部３３は、図６に示すように、メモリ３３１と、サーバ連動部３１を介してザッピング広告サーバ５から転送されたザッピング広告をメモリ３３１に保存するパーシングモジュール３３２と、チャンネル変更信号の入力に際して変更されたチャンネルに対するザッピング広告が検出されるようにメモリ３３１に保存されたメタファイル情報を解析するメタファイル解析モジュール３３３と、ユーザからチャンネル変更信号Ｃ＿ＩＮが入力されるとき、メモリ３３１に保存されたザッピング広告を探索して変更されるべきチャンネルに対応するザッピング広告がメモリ３３１に保存されたか否かを探索する探索モジュール３３４と、探索モジュール３３４によりメモリ３３１に変更されるべきチャンネルに対するザッピング広告が探索されないメモリに変更されるべきチャンネルに対するザッピング広告が保存されない場合、サーバ連動部３１を制御してザッピング広告サーバ５に当該ザッピング広告を要請する広告要請モジュール３３５と、を備える。
【００７４】
メタファイル解析モジュール３３３は、チャンネル変更信号の入力に際して変更されたチャンネルに対するザッピング広告が検出されるようにメモリ３３１に保存されたメタファイル情報を解析し、解析された結果データをマルチレイヤ制御部３５及びマルチプレキシング処理部３６のうちのいずれか一方に入力する。このとき、メタファイル情報は、コンテンツの種類、チャンネル情報、時間情報、露出位置情報、露出方法情報などを含む。
【００７５】
このように、本発明は、既に製作されたザッピング広告がザッピング広告サーバ５に保存されるだけではなく、デジタル受信機３のザッピング広告管理部３３のメモリ３３１に独立して保存されるように構成されることにより、ザッピング広告の提供に際してザッピング広告サーバ及びデジタル受信機間のザッピング広告の要請、ザッピング広告送受信などにかかる時間を画期的に節減することが可能になる。
【００７６】
判断部３４は、当該デジタル受信機３のコンテンツの展示方式がマルチレイヤに基づく方式であるか、又はマルチレイヤに基づく方式ではないかを判断する。このとき、判断部３４は、最初の駆動時に又は既に設定された周期に応じて駆動され、デジタル受信機３は、判断部３４により判断結果が検出されると、判断部３４が再び駆動されるまで判断結果を適用し続けて運営する。例えば、判断部３４の周期が「Ｔ」であるとしたとき、判断部３４がコンテンツの展示方式がマルチレイヤに基づく方式であると判断する場合、デジタル受信機３は、判断部３４が再び駆動される前である「Ｔ」周期間にマルチレイヤに基づく方式を適用して演算処理を行うので、不要な演算処理が節減される。
【００７７】
また、判断部３４は、もしコンテンツの展示方式がマルチレイヤに基づく方式であると判断する場合、マルチレイヤ制御部３５を駆動し、もしコンテンツの展示方式がマルチレイヤに基づく方式ではないと判断する場合、マルチプレキシング処理部３６を駆動する。
【００７８】
一般に、デジタル受信機は、製造社、オーペレーティングシステム（ＯＳ：Ｏｐｅｒａｔｉｎｇ  Ｓｙｓｔｅｍ）及びプラットフォームなどに応じてコンテンツがマルチレイヤに基づく方式により展示されるか、又は、マルチレイヤに基づく方式により展示されない。これにより、本発明では、デジタル受信機のコンテンツの展示方式を問わずにザッピング時間の間にザッピング広告を提供するために判断部３４を構成し、判断部３４の判断有無に応じてそれぞれ異なるアルゴリズムを適用してザッピング時間の間にザッピング広告が露出されるようにしている。
【００７９】
図７は、本発明のマルチレイヤに基づくコンテンツの提供方式を説明するための例示図である。
【００８０】
図７を参照してマルチレイヤに基づくコンテンツの提供方式について説明すると、マルチレイヤに基づくコンテンツの展示方式は、それぞれ論理的な特定の機能を有すると共に、垂直的な階層を有する複数のレイヤＬ１、Ｌ２、Ｌ３、Ｌ４により実現される。
【００８１】
すなわち、各レイヤは、論理的に優先的に視聴される階層が存在し、視聴者は、全体のレイヤが垂直的にオーバレイ（ｏｖｅｒｌａｙ）された画面を視聴することになる。
【００８２】
第４のレイヤＬ４は、論理的にプライオリティが最も低い、詳しくは、論理的に最下部に配置されるレイヤであり、復号化された映像を静的に表示し、詳しくは、ＭＰＥＧ−２  ｉ−ｆｒａｍｅ（ＩＳＯ／ＩＥＣ  １３８１８−２に定義される）、ＪＰＥＧ（Ｊｏｉｎｔ  Ｐｈｏｔｏｇｒａｐｈｉｃ  Ｅｘｐｅｒｔｓ  Ｇｒｏｕｐ、ＩＳＯ／ＩＥＣ  １０９１８−１に定義される）などの特定のフォーマットのみに対応可能である。
【００８３】
第３のレイヤＬ３は、第４のレイヤＬ４よりもプライオリティの高い（第４のレイヤよりも上部に配置される）レイヤであり、復号化されたビデオ、詳しくは、放送コンテンツサーバ７から転送された放送コンテンツが出力される。なお、第３のレイヤＬ３は、実施形態に応じて複数設けられるか、又は、複数のビデオが復号化されてそれぞれのレイヤに表示される。
【００８４】
第２のレイヤＬ２は、第３及び第４のレイヤＬ３、Ｌ４よりもプライオリティの高いレイヤであり、アプリケーション又は字幕が表示され、様々なカラー及び解像度に対応可能である。
【００８５】
第１のレイヤＬ１は、他のレイヤＬ２、Ｌ３、Ｌ４よりもプライオリティの高いレイヤであり、ハードウェアを介して入力されるカーソルが表示される。このとき、第１のレイヤは、通常のテレビ用のＳｏＣ（システムオンチップ）では提供されなくてもよい。
【００８６】
また、マルチレイヤＬ１、Ｌ２、Ｌ３、Ｌ４は、視覚的にみたとき、プライオリティの高い上部に配置されるレイヤがプライオリティの低い下部に配置されるレイヤを遮るため、第３のレイヤＬ３に放送コンテンツが展示される場合、第４のレイヤＬ４がザッピング広告を表示してもこれは外部に露出されなくなり、第３のレイヤＬ３に放送コンテンツが展示されない場合、第４のレイヤＬ４に表示されるザッピング広告は外部に露出される。
【００８７】
換言すると、ザッピング時間の間に第３のレイヤＬ３にはいかなる放送コンテンツも提供されずに黒い画面が提供される虞があるため、このようなザッピング時間の間にザッピング広告が提供され得るが、従来には、ザッピング広告を提供するためにチャンネル変更信号が入力された時点を感知して、ザッピング広告を特定のレイヤに表示するまで所定の時間がかかり、更に、変更された放送コンテンツが提供されるまでザッピング広告を提供できなくなる現象が発生する虞があるため、変更された放送コンテンツが提供され始める時点、例えば、変更された放送コンテンツ映像のｉ−ｆｒａｍｅが提供される時点を感知してザッピング広告を中断しなければならない。しかしながら、ザッピング時間の時点及び終点を感知し、これに応答してザッピング広告を表示する場合には、ザッピング広告が当該時間に正確に提供されないか、又は、過度に多くの演算を必要とする。
【００８８】
これにより、本発明のデジタル受信機３は、ザッピング広告管理部３３において予めザッピング広告を受信して保存し、現在展示中の放送コンテンツに対応するザッピング広告を予め第４のレイヤＬ４に表示することにより、ザッピング時間の間に正確にザッピング広告を展示することができ、不要な演算を画期的に制限することができる。このとき、第４のレイヤＬ４にザッピング広告を予め表示していても、第４のレイヤＬ４は、第３のレイヤＬ３に表示された放送コンテンツにより外部に露出されないため、ザッピング時間の間にのみ外部に露出される。
【００８９】
一方、本発明では、コンテンツの展示方式を説明するために、図７に示すように、各レイヤの名称及び機能を限定的に使用したが、レイヤの名称及び機能はこれに何ら限定されるものではなく、複数のレイヤのうち最下部に配置されるレイヤにザッピング広告が表示されるようにすることを本発明の技術的特徴とする。
【００９０】
図８は、図５のマルチレイヤ制御部を示すブロック図であり、図９は、図８を説明するための例示図である。
【００９１】
通常、デジタル受信機３は、たとえコンテンツの提供方式がマルチレイヤに基づく方式であるとしても、オーペレーティングシステム及びフォームウェアに応じて様々な方式が適用されるため、特定のオーペレーティングシステム及びフォームウェアに限ってサービスを提供することができるという限界を有する。
【００９２】
これにより、本発明のマルチレイヤ制御部３５は、オーペレーティングシステム及びフォームウェアの種類を問わずに安定的にコンテンツを露出するように構成することにより、安定性及び拡張性を画期的に高めることができる。
【００９３】
図８のマルチレイヤ制御部３５は、放送コンテンツ入力モジュール３５１と、放送コンテンツ表示モジュール３５２と、ザッピング広告入力モジュール３５３と、判断モジュール３５４と、第１のザッピング広告表示モジュール３５５と、レイヤ要請モジュール３５６と、プライオリティ設定モジュール３５７と、第２のザッピング広告表示モジュール３５８と、レイヤ組み合わせモジュール３５９と、を備える。
【００９４】
このとき、レイヤ組み合わせモジュール３５９により組み合わせられたレイヤの画面は、ユーザからのチャンネル変更信号が入力された時点から変更されるべきチャンネルの放送コンテンツが提供される時点までであるザッピング時間の間には、ザッピング広告を露出させる。
【００９５】
また、マルチレイヤ制御部３５は、チャンネル変更信号が入力された後、既に設定された時間の間にチャンネル変更信号が再び入力されなければ、現在展示中の放送コンテンツに対応するザッピング広告が遊休レイヤに表示されるようにザッピング広告を変換する。このとき、既に設定された時間は、放送コンテンツが変換されるのにかかる最大の経過時間と定義される。
【００９６】
放送コンテンツ入力モジュール３５１は、放送コンテンツ管理部３２から入力された復号化された放送コンテンツ映像を入力される。
【００９７】
放送コンテンツ表示モジュール３５２は、放送コンテンツ入力モジュール３５１により入力された放送コンテンツ映像をデジタル受信機のオーペレーティングシステム又はフォームウェアにより既に設定されたレイヤ（以下、ビデオレイヤＶＬと称する。）に表示する。このとき、放送コンテンツは、デジタル受信機のオーペレーティングシステム及びフォームウェアの種類に応じて特定のレイヤに表示されるように既に設定される。
【００９８】
ザッピング広告入力モジュール３５３は、ザッピング広告管理部３３から現在展示されている放送コンテンツに対応するザッピング広告及びメタファイル解析モジュール３３３により解析されたメタファイル情報を入力される。
【００９９】
判断モジュール３５４は、ビデオフォーマットの構成有無を確認して前記ビデオレイヤＶＬよりもプライオリティの低いレイヤの存否を判断する。
【０１００】
また、判断モジュール３５４は、もしビデオレイヤＶＬよりもプライオリティの低いレイヤである遊休レイヤが存在すると判断する場合、第１のザッピング広告表示モジュール３５５を駆動し、もし遊休レイヤが存在しないと判断する場合、レイヤ要請モジュール３５６を駆動する。
【０１０１】
第１のザッピング広告表示モジュール３５５は、判断モジュール３５４によりビデオレイヤＶＬよりもプライオリティの低い遊休レイヤが存在すると判断されるときに駆動され、検出されたプライオリティの低い遊休レイヤにザッピング広告入力モジュール３５３を介して入力されたザッピング広告を表示する。
【０１０２】
レイヤ要請モジュール３５６は、判断モジュール３５４により遊休レイヤが存在しないと判断されるときに駆動され、オーペレーティングシステム及びフォームウェアに新規なレイヤ生成を要請する。
【０１０３】
プライオリティ設定モジュール３５７は、レイヤ要請モジュール３５６により生成された新規なレイヤにビデオレイヤＶＬよりも低いプライオリティを与える。
【０１０４】
第２のザッピング広告表示モジュール３５８は、プライオリティ設定モジュール３５７によりビデオレイヤＶＬよりも低いプライオリティが与えられた新規なレイヤにザッピング広告入力モジュール３５３を介して入力されたザッピング広告を表示する。
【０１０５】
レイヤ組み合わせモジュール３５９は、放送コンテンツ表示モジュール３５２及びザッピング広告表示モジュール３５５、３５８により表示されたレイヤをプライオリティに基づいて混合する。
【０１０６】
また、レイヤ組み合わせモジュール３５９により混合されたレイヤは、ディスプレイ手段１０の画面に展示される。
【０１０７】
すなわち、本発明のマルチレイヤ制御部３５は、デジタル受信機３のオーペレーティングシステム及びフォームウェアの種類に応じて放送コンテンツが表示されるビデオレイヤＶＬよりもプライオリティの低いレイヤが存在する構成方式だけではなく、ビデオレイヤＶＬよりもプライオリティの低いレイヤが存在しない構成にも連動可能なように構成されることにより、マルチレイヤの様々な運営方式に適用可能になり、その結果、拡張性及び効率性を画期的に高めることができる。
【０１０８】
図９は、図８のマルチレイヤ制御部の動作過程を説明するためのフローチャートである。
【０１０９】
図９のマルチレイヤ制御部の動作過程（Ｓ２００）は、放送コンテンツの入力ステップ（Ｓ２１０）と、放送コンテンツの表示ステップ（Ｓ２２０）と、ザッピング広告の入力ステップ（Ｓ２３０）と、判断する判断ステップ（Ｓ２４０）と、第１のザッピング広告の表示ステップ（Ｓ２５０）と、新規なレイヤの要請ステップ（Ｓ２６０）と、プライオリティの設定ステップ（Ｓ２７０）と、第２のザッピング広告の表示ステップ（Ｓ２８０）と、レイヤの組み合わせステップ（Ｓ２９０）と、を含む。
【０１１０】
放送コンテンツの入力ステップ（Ｓ２１０）は、復号化された放送コンテンツを入力され、放送コンテンツの表示ステップＳ２２０は、デジタル受信機のオーペレーティングシステム又はフォームウェアによる既に設定されたビデオレイヤＶＬに放送コンテンツの入力ステップ（Ｓ２１０）において入力された放送コンテンツ映像を表示するステップである。
【０１１１】
ザッピング広告の入力ステップ（Ｓ２３０）は、ザッピング広告及びザッピング広告のメタファイル情報を入力され、判断ステップＳ２４０は、ビデオフォーマットの構成有無を確認して、前記ビデオレイヤＶＬよりもプライオリティの低い遊休レイヤの存否を判断するステップである。
【０１１２】
このとき、判断ステップ（Ｓ２４０）は、もし遊休レイヤが存在すると判断されるときに第１のザッピング広告表示ステップ（Ｓ２５０）に移行し、もし遊休レイヤが存在しないと判断されるときに新規なレイヤの要請ステップ（Ｓ２６０）に移行する。
【０１１３】
第１のザッピング広告の表示ステップ（Ｓ２５０）は、判断ステップ（Ｓ２４０）により遊休レイヤが存在すると判断されるときに行われ、検出された遊休レイヤにザッピング広告の入力ステップ（Ｓ２３０）において入力されたザッピング広告を表示する。
【０１１４】
新規なレイヤの要請ステップ（Ｓ２６０）は、判断ステップ（Ｓ２４０）により遊休レイヤが存在しないと判断されるときに行われ、オーペレーティングシステム及びフォームウェアに新規なレイヤ生成を要請する。
【０１１５】
プライオリティの設定ステップ（Ｓ２７０）は、新規なレイヤの要請ステップ（Ｓ２６０）により生成された新規なレイヤにビデオレイヤＶＬよりも低いプライオリティを与え、第２のザッピング広告の表示ステップ（Ｓ２８０）は、プライオリティの設定ステップ（Ｓ２７０）によりビデオレイヤＶＬよりも低いプライオリティが与えられた新規なレイヤにザッピング広告の入力ステップ（Ｓ２３０）において入力されたザッピング広告を表示する。
【０１１６】
レイヤの組み合わせステップ（Ｓ２９０）は、第１のザッピング広告の表示ステップ（Ｓ２５０）又は第２のザッピング広告の表示ステップ（Ｓ２８０）によりザッピング広告が表示されたレイヤと、放送コンテンツの表示ステップ（Ｓ２２０）により放送コンテンツが表示されたレイヤをプライオリティに基づいて組み合わせる。
【０１１７】
図１０の（ａ）は、ビデオレイヤＶＬに放送コンテンツが、ビデオレイヤよりもプライオリティの低いレイヤにザッピング広告が提供される画面を説明するための例示図であり、（ｂ）は、チャンネル変更信号に基づいてビデオレイヤＶＬに放送コンテンツが受信されない状態を示す例示図であり、（ｃ）は、変更されたチャンネルの放送コンテンツがビデオレイヤＶＬに展示される状態を示す例示図であり、（ｄ）は、チャンネルの変更後に現在展示中のチャンネルに対応するザッピング広告の変換状態を示す例示図である。
【０１１８】
図１０の（ａ）を参照すると、ビデオレイヤＶＬに放送コンテンツ３００が提供されるとき、ビデオレイヤＶＬよりもプライオリティの低いレイヤＬｎには現在展示中の放送コンテンツ３００に対応するザッピング広告４００が表示される。このとき、レイヤＬｎに表示されるザッピング広告４００は、プライオリティの高いビデオレイヤＶＬを介して展示される放送コンテンツ３００により遮られて外部に露出されなくなることにより、視聴者は、放送コンテンツ３００のみを閲覧することになる。
【０１１９】
このような状態で、視聴者がチャンネル変更信号を入力すると、図１０の（ｂ）に示すように、ビデオレイヤＶＬにいかなる放送コンテンツも表示されないザッピング時間が発生し、これにより、レイヤＬｎに表示されたザッピング広告４００が外部に露出されることにより、視聴者は、ザッピング広告を閲覧することが可能になる。
【０１２０】
また、図１０の（ｃ）に示すように、ザッピング時間が持続されてビデオレイヤＶＬに変更された放送コンテンツ３１０が展示されると、レイヤＬｎに展示されるザッピング広告４００は、再びビデオレイヤＶＬを介して展示される放送コンテンツにより遮断されて外部に露出されなくなる。
【０１２１】
更に、デジタル受信機３は、ビデオレイヤＶＬに変更された放送コンテンツ３１０が展示されると、図１０の（ｄ）に示すように、レイヤＬｎに変更された放送コンテンツ３１０に対するザッピング広告を表示する。
【０１２２】
図１１は、図５のマルチプレキシング処理部を説明するための構成図である。
【０１２３】
マルチプレキシング処理部３６は、上述した図５の判断部３４によりコンテンツの展示方式がマルチレイヤに基づく方式ではないと判断される場合に駆動される。すなわち、マルチプレキシング処理部３６は、動画像サービスシステムが提案されたマルチレイヤ構造ではないか、又は、マルチレイヤ構造であるが、制御不可能なシステムに対応するために構成されたものである。このとき、マルチプレキシング処理部３６は、ハードウェア及びソフトウェアのうちのいずれか一方により構成可能であるということはいうまでもない。
【０１２４】
また、図１１に示すように、マルチプレキシング処理部３６は、ディスプレイの出力メモリ３７０から出力される放送コンテンツの映像フレームをオーバレイバッファ３６１に保存すると共に、ザッピング広告管理部３３のメタファイル解析モジュール３３３に連動して現在展示中の放送コンテンツに対応するザッピング広告を入力されてこれをオーバレイバッファ３６１に保存する。
【０１２５】
更に、マルチプレキシング処理部３６は、オーバレイバッファ３６１に保存されたザッピング広告及び放送コンテンツを再構成、詳しくは、ザッピング広告が放送コンテンツの前段に配置されるようにオーバレイバッファ３６１を再構成することにより、デジタル受信機のコンテンツの展示方式がマルチレイヤ構造ではないか、又は、マルチレイヤ構造ではあるが、制御不可能なシステムなどの様々な環境下でザッピング広告を効率よく提供することが可能になる。
【０１２６】
更にまた、マルチプレキシング処理部３６は、限られた容量のオーバレイバッファ３６１を用いるとき、プロセッサ間の衝突がないように公知のセマフォ（ｓｅｍａｐｈｏｒｅ）技法を適用することが好ましい。
【０１２７】
換言すると、マルチプレキシング処理部３６は、放送コンテンツ及びザッピング広告をオーバレイバッファ３６１に保存した後、ザッピング広告が放送コンテンツの前段に配置されるようにオーバレイバッファを操作することにより、動画像サービスシステムが提案されたマルチレイヤ構造ではないか、又は、マルチレイヤ構造ではあるが、制御不可能なシステムに適用可能であり、これにより、様々な環境のデジタル受信機に連動されてザッピング時間の間に正確なザッピング広告を展示することが可能になる。
【０１２８】
また、マルチレイヤに基づくコンテンツの展示方式は、ビデオの復号化状態に応じてザッピング広告の露出時間が流動的であるが、マルチプレキシング処理部３６は、オーバレイバッファ３６１に放送コンテンツ及びザッピング広告を保存した後、これを再構成する方式により運営されるので、ビデオの復号化状態を問わずにザッピング広告の露出時間を保証することができるというメリットを有する。
【符号の説明】
【０１２９】
１：ザッピング広告システム
３：デジタル受信機
５：ザッピング広告サーバ
７−１，…，７−Ｎ：放送コンテンツサーバ
９：通信網
１０：ディスプレイ手段
３１：サーバ連動部
３２：放送コンテンツ管理部
３３：ザッピング広告管理部
３４：判断部
３５：マルチレイヤ制御部
３６：マルチプレキシング処理部
３７：ログデータ収集部
５１：通信インタフェース部
５３：コンテンツ登録サーバ
５５：メタファイル生成サーバ
５７：ログ分析サーバ
５９：ターゲッティング制御サーバ
0006601971.tif 000002
【図１】
0006601971.tif 000003
【図２】
0006601971.tif 000004
【図３】
0006601971.tif 000005
【図４】
0006601971.tif 000006
【図５】
0006601971.tif 000007
【図６】
0006601971.tif 000008
【図７】
0006601971.tif 000009
【図８】
0006601971.tif 000010
【図９】
0006601971.tif 000011
【図１０（ａ）】
0006601971.tif 000012
【図１０（ｂ）】
0006601971.tif 000013
【図１０（ｃ）】
0006601971.tif 000014
【図１０（ｄ）】
0006601971.tif 000015
【図１１】
0006601971.tif 000016